(57)【特許請求の範囲】
【請求項１】
四方形状に形成される架台上枠及び架台下枠の内周面と山形鋼の山面を固着し、向かい合わせた四本の山形鋼支柱と、その山形鋼支柱の下端付近に架台垂直調整縦長孔と架台上枠付近にアンカーボルト支持用横長孔を適宜数設け、その山形鋼支柱の下端付近に設けた架台垂直調整縦長孔と、架台水平調整横長孔と架台ベース固定用アンカーボルト孔を設け山形鋼で形成される適宜数の架台ベースの架台水平調整横長孔をボルトとナットで螺合して取り付け、山形鋼支柱にアンカーボルトを沿う形でＬ型ボルトとナットで固定できる様に設けた柱脚固定アンカーボルト支持用架台。
【請求項２】
架台上枠に適宜数のアンカーボルト支持用横長孔を有するアンカーボルト固定用山形鋼を適宜数、適宜位置に取り付け、山形鋼支柱とアンカーボルト固定用山形鋼にアンカーボルトを沿う形でＬ型ボルトとナットで固定できる様に設けた請求項１に記載の柱脚固定アンカーボルト支持用架台。
【請求項３】
両螺子アンカーボルト取り付けとＪ型アンカーボルトを挿通することを兼ねた長孔を設けた略三角プレートを架台上枠に固着した請求項１及び請求項２に記載の柱脚固定アンカーボルト支持用架台。
【発明の詳細な説明】
【０００１】
【発明の属する技術分野】
本発明は、鉄筋鉄骨コンクリート等建築物の基礎コンクリートに埋没される柱脚固定用アンカーボルトの支持用架台に関するものであり、より詳しくは、山形鋼を使用した構成で、アンカーボルトの広範囲での位置あわせができ、また、高強度を実現し、施工後のアンカーボルトの位置ずれやねじれ等を防ぎ、また、作業効率を向上させる事が可能である柱脚固定アンカーボルト支持用架台に関するものである。
【０００２】
【従来の技術】
従来より、図１１に示すような、中央に１本の支柱を設け、その支柱から、腕を出し、その腕でアンカーボルトを固定するＪ型アンカーボルト用のアンカーボルト支持用架台や図１２に示すような、両端が螺子で構成されたアンカーボルトの螺子部分を使用してアンカーボルトの高さ調節を行う両螺子アンカーボルト用のアンカーボルト支持用架台があった。
また、図１３に示すようにアンカーボルト据え付け工事時に、その場でアンカーボルトを配列された鉄筋や鉄筋枠等に溶接して取り付けることがある。
【０００３】
ところで、アンカーボルト据え付け工事時に要求される技術的背景として、アンカーボルトは建造物建築時の柱脚の位置決め固定に必要とされるため、平面的な位置及び垂直度などの据え付け精度が高度に要求される。
【０００４】
しかし、アンカーボルトが基準よりずれを生じる場合もしばしばあり、その場合、アンカーボルトをガスバーナーで暖め曲げて位置調節をする方法もあるが、アンカーボルトを曲げることによって、地震等で柱脚に強い力が加わったときにアンカーボルトに大きな引張力がかかり、アンカーボルトがまっすぐに戻ろうとするので、アンカーボルトの位置がずれ、しかも曲げてあった分伸びる。
したがって、柱が偏芯したり、柱のベースとアンカーボルトの密着度が悪くなったりしていた。
しかも、暖めて曲げるので、アンカーボルトの材質が熱変化して強度が下がり地震等の大きな力が加わったときにアンカーボルトが破損する事もあり、結果として、コンクリートを崩して作り直さなければならず多大な損害を生じることがあった。
【０００５】
更に、アンカーボルトは柱脚の応力伝達の媒体として引張力や水平力など、様々の力が加わる為、高強度が要求される。
【０００６】
また、アンカーボルト据え付け工事時には、捨てコンクリート上に設置された既に述べたアンカーボルト支持用架台にアンカーボルトを取り付けた後、規定のレベルまでコンクリートを流しこんで建造物の基礎を構築するのが一般的であるが、その様な場合、コンクリートを流し込む時のコンクリートの流動力や圧力等で、アンカーボルト支持用架台とアンカーボルトに、ねじれや位置ずれが生じ、高度の据え付け精度の要求されるアンカーボルトの所定位置と比較した時、誤差があることが多かった為にアンカーボルト支持用架台には、コンクリートの流動力や圧力等に十分に耐えて精度を保つ本体の強度とアンカーボルトを固定するためのアンカーボルト支持強度が必要とされる。
【０００７】
また、捨てコンクリートから、アンカーボルト先端までの高さが３ｍ程にもなりアンカーボルト支持架台本体の重量が２００ｋｇを超える事もあり、実際にはアンカーボルト支持架台本体を支える強度も必要である。
【０００８】
また、アンカーボルトを所定位置に据え付ける工程が終わり、コンクリートを流し込む前の工程において、アンカーボルト支持架台とアンカーボルトの周囲に多くの鉄筋が配置され、特に梁の部分は鉄筋が密集するが、その様なときに鉄筋がアンカーボルト支持架台とアンカーボルトのいずれかにあたり、ねじれや位置ずれを生じる原因となっていた。
【０００９】
また、アンカーボルトを山形鋼等に沿う様に固定する支持架台は見当たらない。
【００１０】
また、山形鋼で構成され、略立方体というような山形鋼どうしを互いに支え合うような丈夫な構造で、様々の柱脚のベースの形に対応できる支持架台は見当たらない。
【００１１】
【発明が解決しようとする課題】
しかしながら、従来の図１１に示すような中央に１本の支柱を設け、その支柱から、腕を出し、その腕でアンカーボルトを固定するＪ型アンカーボルト用のアンカーボルト支持用架台では、アンカーボルト支持用架台に高さが求められた場合に本体の重量が大きくなり、コンクリートを流しこむ工程の前から支持架台自身の重量に耐え兼ねてねじれや、位置ずれを生じる等、１本の支柱を設け、その支柱から、腕を出し、その腕でアンカーボルトを固定するという構造上、支柱や腕にかかる負担が大きく、高い精度や強度を得る事ができにくかった。
【００１２】
また、同様の理由で構造上高い強度を得る事ができにくかった為に、アンカーボルトを所定位置に据え付け工程が終わり、コンクリートを流し込む前の工程において、アンカーボルト支持用架台とアンカーボルトの周囲に多くの鉄筋が配置され、特に梁の部分は鉄筋が密集するが、その様なときに鉄筋がアンカーボルト支持用架台とアンカーボルトのいずれかにあたり、ねじれや位置ずれを生じる原因となっていた。
【００１３】
また、図１２に示すような両端が螺子で構成されたアンカーボルトの螺子部分を使用してアンカーボルトの高さ調節を行う両螺子アンカーボルト用のアンカーボルト支持用架台では、高さを調節する際にアンカーボルト自体の螺子部分による調節しか出来ないので、高さ調節できる範囲が狭かった。
【００１４】
また、アンカーボルト支持用架台の上下のフレームにほぼ垂直にナットで締め付けて固定している構造なので、アンカーボルト支持用架台のフレーム及び、架台固定用アンカーボルトにかかる負担が大きすぎて、コンクリートを流しこむ工程の際にコンクリートの流動力や圧力等で、アンカーボルト支持用架台とアンカーボルトに、ねじれや位置ずれが生じることがあった。
【００１５】
また、アンカーボルト支持用架台に高さが求められた場合に本体の重量が大きくなり、コンクリートを流しこむ工程の前から支持架台自身の重量に耐え兼ねてねじれや、ずれを生じる等、構造上、高い精度や強度を得る事ができにくかった。
【００１６】
また、同様の理由で構造上高い強度を得る事ができにくかった為に、アンカーボルトを所定位置に据え付け工程が終わり、コンクリートを流し込む前の工程において、アンカーボルト支持用架台とアンカーボルトの周囲に多くの鉄筋が配置され、特に梁の部分は鉄筋が密集するが、その様なときに鉄筋がアンカーボルト支持用架台とアンカーボルトのいずれかにあたり、ねじれや位置ずれを生じる原因となっていた。
【００１７】
また、アンカーボルト用の孔は当然一種類なので、多用な径の大きさのアンカーボルトに対応できなかった。
【００１８】
また、四方に針金を張って位置調節する構造なので、その他の鉄筋が配置されてしまっている場合などは針金を張る場所がなく困る事がある。
【００１９】
また、図１３に示すように、アンカーボルト据え付け工事時にその場でアンカーボルトを配置されている鉄筋や鉄筋枠等に溶接して取り付ける方法では、一般的に屋外で、しかも、人手に頼った溶接を行うため、溶接作業中に型板テンプレートの位置ずれをおこし、予め設定されている基準を達成できない等の不具合が生じやすく、作業には高度の熟練を要した。
また、その様なアンカーボルトを溶接する作業ではアンカーボルトを熱するので、アンカーボルトの材質が熱変化して強度が下がることがあった。
【００２０】
したがって、本発明の目的は、アンカーボルト支持用架台本体の高さが高く、重量が重くなっても耐えられるアンカーボルト支持用架台本体の剛性強度とある程度の衝撃に耐える耐衝撃力を有し、且つ、予め設定された位置へのアンカーボルト設置が高精度に可能で、更に、多用な径の大きさのアンカーボルトに対応し、また、高さ調節できる範囲が大きく、また、山形鋼支柱にそえてアンカーボルトを固定でき、しかも、作業には高度の熟練を要しないことを目的とする柱脚固定アンカーボルト支持用架台を提供する事を課題とする。
【００２１】
【課題を解決するための手段】
請求項１に記載の柱脚固定アンカーボルト支持用架台は、四方形状に形成される架台上枠及び架台下枠の内周面と山形鋼の山面を固着し、向かい合わせた四本の山形鋼支柱と、その山形鋼支柱の下端付近に架台垂直調整縦長孔と架台上枠付近にアンカーボルト支持用横長孔を適宜数設け、その山形鋼支柱の下端付近に設けた架台垂直調整縦長孔と、架台水平調整横長孔と架台ベース固定用アンカーボルト孔を設け山形鋼で形成される適宜数の架台ベースの架台水平調整横長孔をボルトとナットで螺合して取り付け、山形鋼支柱にアンカーボルトを沿う形でＬ型ボルトとナットで固定できる様に設けたことを特徴とするものである。
請求項２に記載の柱脚固定アンカーボルト支持用架台は、請求項１に記載の柱脚固定アンカーボルト支持用架台の架台上枠に適宜数のアンカーボルト支持用横長孔を有するアンカーボルト固定用山形鋼を適宜数、適宜位置に取り付け、山形鋼支柱とアンカーボルト固定用山形鋼にアンカーボルトを沿う形でＬ型ボルトとナットで固定できる様に設けたことを特徴とするものである。
請求項３に記載の柱脚固定アンカーボルト支持用架台は、請求項１及び請求項２に記載の柱脚固定アンカーボルト支持用架台に、両螺子アンカーボルト取り付けとＪ型アンカーボルトを挿通することを兼ねた長孔を設けた略三角プレートを架台上枠に固着したことを特徴とするものである。
【００２２】
【発明の実施の形態】
本発明の一実施の形態を以下、図面を参照して説明する。
図１は、本発明の一実施の形態を示す斜視図である。
図２は、図１の実施形態の一使用形態を示す概略斜視図である。
図３は、図２の実施形態の一使用形態の一部拡大斜視図である。
図１、図２及び図３において、四方形状に形成される架台上枠２１及び架台下枠２２の内周面と山形鋼の山面を固着し、向かい合わせた四本の山形鋼支柱１９と、その山形鋼支柱１９の下端付近に架台垂直調整縦長孔２９と架台上枠２１付近にアンカーボルト支持用横長孔２を適宜数設ける。
その山形鋼支柱１９の下端付近に設けた架台垂直調整縦長孔２９と、架台水平調整横長孔３０と架台ベース固定用アンカーボルト孔２０を設け山形鋼で形成される適宜数の架台ベース１０の架台水平調整横長孔３０をボルトとナット１１で螺合して取り付け、山形鋼支柱１９にアンカーボルトを沿う形でＬ型ボルト６とナット１１で固定できる様に設けたアンカーボルト用の架台であり、この架台に特に限定はされないが柱脚用のＪ型アンカーボルト５を支持する機能を加味して、即ち、柱脚固定アンカーボルト支持用架台１を示すものである。
【００２３】
この柱脚固定アンカーボルト支持用架台１を使用するときは、図２に示す様に、捨てコンクリート７に打ちこんだ架台ベース固定用アンカーボルト８と角座金３４とナット１１によって架台ベース１０の架台ベース固定用アンカーボルト用孔２０に、この架台ベース１０を固定し、図１０に示すように、このアンカーボルト支持架台ベース１０の架台水平調整横長孔３０と柱脚固定アンカーボルト支持用架台１の山形鋼支柱１９の下端付近に設けた架台垂直調整縦長孔２９をたとえば、一点鎖線Ａの様に、ボルトとナット１１で螺合して柱脚固定アンカーボルト支持用架台１を適宜位置にこていする。
さらに、図３に示す様に、アンカーボルト支持用横長孔２にＬ字ボルト６を通しナット１１で螺合してＪ型アンカーボルト５を山形鋼支柱１９に密着する様に仮に固定し、図２に示す様に柱脚固定アンカーボルト支持用架台１に固定したＪ型アンカーボルト５を型板テンプレート９に通してナット１１で螺合して取り付け、この型板テンプレート９に設けてあるポイントマーク２３や、型板テンプレート９本体を基準としてＪ型アンカーボルト５の位置調整を行った後に、仮に固定してあったＬ字ボルト６とナット１１をきつく締め付けてＪ型アンカーボルト５を山形鋼支柱１９に密着する様に完全に固定して使用する。
【００２４】
図４は、図１の他の実施の形態を示す概略斜視図である。
図５は、図４の実施形態の一使用形態を示す概略斜視図である。
図６は、図５の実施形態の一使用形態の一部拡大斜視図である。
図４、図５及び図６において、四方形状に形成される架台上枠２１及び架台下枠２２の内周面と山形鋼の山面を固着し、向かい合わせた四本の山形鋼支柱１９と、その山形鋼支柱１９の下端付近に架台垂直調整縦長孔２９と架台上枠２１付近にアンカーボルト支持用横長孔２を適宜数設ける。
その山形鋼支柱１９の下端付近に設けた架台垂直調整縦長孔２９と、架台水平調整横長孔３０と架台ベース固定用アンカーボルト孔２０を設け山形鋼で形成される適宜数の架台ベース１０の架台水平調整横長孔３０をボルトとナット１１で螺合して取り付ける。
この架台上枠２１に適宜数のアンカーボルト支持用横長孔２を有するアンカーボルト固定用山形鋼３を適宜数、適宜位置に取り付け、山形鋼支柱１９とアンカーボルト固定用山形鋼３にアンカーボルトを沿う形でＬ型ボルトとナットで固定できる様に設けたアンカーボルト用の架台であり、この架台に柱脚用のＪ型アンカーボルト５を支持する機能を加味して、即ち、柱脚固定アンカーボルト支持用架台１Ａを示すものである。
【００２５】
この柱脚固定アンカーボルト支持用架台１Ａを使用するときは、図５に示す様に、捨てコンクリート７に打ちこんだ架台ベース固定用アンカーボルト８と角座金３４とナット１１によって架台ベース１０の架台ベース固定用アンカーボルト用孔２０に、この架台ベース１０を固定し、図１０に示すように、このアンカーボルト支持架台ベース１０の架台水平調整横長孔３０と柱脚固定アンカーボルト支持用架台１Ａの山形鋼支柱１９の下端付近に設けた架台垂直調整縦長孔２９をたとえば、一点鎖線Ａの様に、ボルトとナット１１で水平、垂直の位置調整ができる様、螺合して柱脚固定アンカーボルト支持用架台１Ａを適宜位置に固定する。
さらに、図６に示す様に、山形鋼支柱１９とアンカーボルト固定用山形鋼３のアンカーボルト支持用横長孔２にＬ字ボルト６を通しナット１１で螺合してＪ型アンカーボルト５を山形鋼支柱１９とアンカーボルト固定用山形鋼３に密着する様に仮に固定し、図５に示す様に柱脚固定アンカーボルト支持用架台１に固定したＪ型アンカーボルト５を型板テンプレート９Ａに通してナット１１で螺合して取り付け、この型板テンプレート９Ａに設けてあるポイントマーク２３や、型板テンプレート９Ａ本体を基準としてＪ型アンカーボルト５の位置調整を行った後に、仮に固定してあったＬ字ボルト６とナット１１をきつく締め付けてＪ型アンカーボルト５を山形鋼支柱１９とアンカーボルト固定用山形鋼３に密着する様に完全に固定して使用する。
【００２６】
図７は、図１の他の実施の形態を示す一部拡大分解斜視図である。
図８は、図７の実施形態の一使用形態の一部拡大斜視図である。
図９は、図７の実施形態の一使用形態を示す概略斜視図である。
図７、図８及び図９において、図１、図２、図３、図４、図５及び図６に記載の柱脚固定アンカーボルト支持用架台１．１Ａに両螺子アンカーボルト１３の取り付けとＪ型アンカーボルト５を挿通することを兼ねた長孔３２を設けた略三角プレート３１を架台上枠２１に固着して設けたアンカーボルトを支持する架台であり、この架台に柱脚用のＪ型アンカーボルト５と、両螺子アンカーボルト１３を兼用に支持する機能を加味して、即ち、柱脚固定アンカーボルト支持用架台１ＡＡを示すものである。
【００２７】
この柱脚固定アンカーボルト支持用架台１ＡＡをＪ型アンカーボルト５用に使用するときは、図９に示す様に、捨てコンクリート７に打ちこんだ架台ベース固定用アンカーボルト８と角座金３４とナット１１によって架台ベース１０の架台ベース固定用アンカーボルト用孔２０に、この架台ベース１０を固定し、図１０に示すように、このアンカーボルト支持架台ベース１０の架台水平調整横長孔３０と柱脚固定アンカーボルト支持用架台１ＡＡの山形鋼支柱１９の下端付近に設けた架台垂直調整縦長孔２９をたとえば、一点鎖線Ａの様に、ボルトとナット１１で水平、垂直の位置調整ができる様、螺合して柱脚固定アンカーボルト支持用架台１ＡＡを適宜位置に固定し、Ｊ型アンカーボルト５を略三角プレート３１の長孔３２に挿通してアンカーボルト支持用横長孔２にＬ字ボルト６を通しナット１１で螺合してＪ型アンカーボルト５を山形鋼に密着する様に仮に固定し、柱脚固定アンカーボルト支持用架台１ＡＡに固定したＪ型アンカーボルト５を型板テンプレート９に通してナット１１で螺合して取り付け、この型板テンプレート９に設けてある図２のようなポイントマーク２３や、型板テンプレート９本体を基準としてアンカーボルトの位置調整を行った後に、仮に固定してあったＬ字ボルト６とナット１１をきつく締め付けてＪ型アンカーボルト５を山形鋼支柱１９やアンカーボルト固定用山形鋼３に密着する様に完全に固定して使用する。
【００２８】
この柱脚固定アンカーボルト支持用架台１ＡＡを両螺子アンカーボルト１３用に使用するときは、図９に示す様に、捨てコンクリート７に打ちこんだ架台ベース固定用アンカーボルト８と角座金３４とナット１１によって架台ベース１０の架台ベース固定用アンカーボルト用孔２０に、この架台ベース１０を固定し、図１０に示すように、このアンカーボルト支持架台ベース１０の架台水平調整横長孔３０と柱脚固定アンカーボルト支持用架台１ＡＡの山形鋼支柱１９の下端付近に設けた架台垂直調整縦長孔２９をたとえば、一点鎖線Ａの様に、ボルトとナット１１で水平、垂直の位置調整ができる様、螺合して柱脚固定アンカーボルト支持用架台１ＡＡを適宜位置に固定し、図７、図８に示すように、両螺子アンカーボルト１３をアンカーボルト取り付け孔１４に挿通してナット１１と座金１５で仮に固定し、柱脚固定アンカーボルト支持用架台１ＡＡに仮に固定した両螺子アンカーボルト１３を型板テンプレート９にナット１１で螺合して取り付け、この型板テンプレート９に設けてある図２のようなポイントマーク２３や、型板テンプレート９本体を基準とし、両螺子アンカーボルト１３の螺子部分とナット１１でアンカーボルトの位置調整を行った後に、両螺子アンカーボルト１３を固定するナット１１を本締めし、両螺子アンカーボルト１３を完全に固定して使用する。
【００２９】
図１０は、本発明の柱脚固定アンカーボルト支持用架台１・１Ａ・１ＡＡの架台ベース１０の架台水平調整横長孔３０と、山形鋼支柱１９の架台垂直調整縦長孔２９をボルトとナット１１で接続する際のボルトとナット１１の挿入軌道の一例を示す概略斜視図である。
【００３０】
図１１は、一従来品の実施の形態を示す概略正面図である。
【００３１】
図１２は、一従来品の実施の形態を示す概略斜視図である。
【００３２】
図１３は、一従来施工方法を示す概略斜視図であり、アンカーボルト支持用鉄筋枠２５上に乗せられたアンカーボルト支持板２４にたとえばＪ型アンカーボルト５を挿通し、鉄筋２６にＪ型アンカーボルト５を溶接し、Ｊ型アンカーボルト５を固定した様子を示したものである。
【００３３】
図１４は、図４の他の使用の形態を示す概略斜視図であり、図４、図５及び図６に記載の柱脚固定アンカーボルト支持用架台１Ａを両螺子アンカーボルト１３用に使用した様子を示すものである。
【００３４】
この柱脚固定アンカーボルト支持用架台１Ａを両螺子アンカーボルト１３用に使用するときは、下部に定着板２８をナット１１で取り付けた両螺子アンカーボルト１３をアンカーボルト固定用山形鋼３に密着する様にそえた後、アンカーボルト固定用山形鋼３のアンカーボルト支持用横長孔２にＬ字ボルト６を通しナット１１で螺合し、この両螺子アンカーボルト１３を仮に固定する。
更に、柱脚固定アンカーボルト支持用架台１Ａに固定した両螺子アンカーボルト１３を型板テンプレート９に通してナット１１で螺合して取り付け、この型板テンプレート９に設けてあるポイントマーク２３や、型板テンプレート９本体を基準としてアンカーボルトの位置調整を行った後に、仮に固定してあったＬ字ボルト６とナット１１をきつく締め付けて両螺子アンカーボルト１３をアンカーボルト固定用山形鋼３に密着する様に完全に固定して使用する。
【００３５】
尚、以上の様に構成されたこれらの柱脚固定アンカーボルト支持用架台１・１Ａ・１ＡＡは、アンカーボルト設置作業を行う際に、位置決めを早く正確に行う事ができ、作業者に時間的設備的に余裕を与えるものである。
【００３６】
尚、上記の柱脚固定アンカーボルト支持用架台１・１Ａ・１ＡＡの材質は特にとはないが、長期の経年に耐えうるものが好ましい、例えば鉄やステンレスなどで設けるのが好ましい。
【００３７】
尚、上記の柱脚固定アンカーボルト支持用架台１・１Ａ・１ＡＡは、めっきを加えて錆や劣化に対して耐久力を与えても良い。
【００３８】
尚、上記の長孔３２や架台水平調整横長孔３０や架台垂直調整縦長孔２９もしくは、架台ベース固定用アンカーボルト用孔２０は、形状に特に限定されるものではないが、好ましくは円や長円とし、この孔どうしをボルトとナット１１で接続する場合に、孔にゆとりがある分、架台を位置的に調整することができる。
【００３９】
上記の長孔３２や架台水平調整横長孔３０や架台垂直調整縦長孔２９もしくは、架台ベース固定用アンカーボルト用孔２０は、適宜位置、適宜数設けられてあってもよい事はもちろんのことながら、長孔３２や架台水平調整横長孔３０や架台垂直調整縦長孔２９もしくは、架台ベース固定用アンカーボルト用孔２０に差し込むボルトや、そのボルトに螺合するナット１１は本発明の柱脚固定アンカーボルト支持用架台１・１Ａ・１ＡＡの使用目的に合わせて差し込む場所、数量、大きさ、種類等を変更しても良いのはいうまでもない。
【００４０】
尚、上記の山形鋼支柱１９及び、アンカーボルト固定用山形鋼３にＬ型ボルト６でアンカーボルトを複数箇所締め付けて固定できる様にアンカーボルト支持用横長孔３０を複数箇所に設けても良い事も言うまでもない。
【００４１】
尚、上記の山形鋼支柱１９及び、アンカーボルト固定用山形鋼３にＬ型ボルト６とナット１１を使用してアンカーボルトを固定する際には山形鋼支柱１９及び、アンカーボルト固定用山形鋼３の山形鋼谷面に添えるようにＬ型ボルト６とナット１１で締め付けるので、強固に固定できる。
【００４２】
尚、本発明の柱脚固定アンカーボルト支持用架台１・１Ａ・１ＡＡに使用される型板テンプレート９・９Ａは板厚を従来品より厚くし、ポイントマークを記した物を用いるのが好ましい。
【００４３】
尚、上記アンカーボルトについては特に限定されることなくＪ型アンカーボルト５は、Ｌ型やフック型等の類似の形態のものでも構わなく、両螺子アンカーボルト１３も同様に全螺子アンカーボルト等類似のものを使用しても構わないのは言うまでもない。
【００４４】
尚、本発明は、以上の発明の実施の形態に限定されることなく、特許請求の範囲に記載された発明の範囲内で、数々の変更が可能であり、それらも本発明の範囲内に包含されるものであることは言うまでもない。
【００４５】
【発明の効果】
以上説明した様に、アンカーボルト支持用架台本体が、山形鋼で略立方体というような、山形鋼どうし互いに支え合うような構造で、しかも、アンカーボルトを密着させて固定するので、アンカーボルトの強度に頼ることが少ない。
【００４６】
また、同様の理由により、アンカーボルト支持架台本体の高さが高く、重量が重くなっても耐えられるアンカーボルト支持架台本体の強度を有するものである。
【００４７】
また、同様の理由により、アンカーボルトを所定位置に据え付け工程が終わり、コンクリートを流し込む前の工程において、アンカーボルト支持架台とアンカーボルトの周囲に多くの鉄筋が配置され、特に梁の部分は鉄筋が密集するが、その様なときに鉄筋がアンカーボルト支持架台とアンカーボルトのいずれかにあたり、ねじれや位置ずれを生じることがあったが、よほどの力がかからない限り、その様なねじれや位置ずれを生じることは非常に少なくなった。
【００４８】
また、アンカーボルトを山形鋼に沿う様に固定するので、予め設定された位置へのアンカーボルト設置が高精度に可能である。
【００４９】
また、限定されるものではないが、Ｌ字ボルトでアンカーボルトを固定するので、アンカーボルトの径の大きさに左右されることがなくＬ字ボルトとアンカーボルト支持用横長孔の許す範囲で、多用な径の大きさのアンカーボルトに対応できる。
【００５０】
また、両螺子アンカーボルトとＪ型アンカーボルトを兼用に使用できるので、アンカーボルト支持架台を両螺子アンカーボルト用とＪ型アンカーボルト用というように、それぞれ作る必要がなく非常に便利で経済性に優れている。
【００５１】
また、Ｊ型アンカーボルトと両螺子アンカーボルトを併用する事も出来て、鉄筋が込み入るときなどにその場に合わせてＪ型アンカーボルトや両螺子アンカーボルトというように使い分ける事が出来るので便利である。
【００５２】
また、アンカーボルト支持架台の山形鋼支柱の高さがあるので、このアンカーボルト支持用架台の山形鋼支柱に沿う様に固定されるアンカーボルトは自身の螺子山の長さに全く関係なく、アンカーボルト自身の持つ長さの範囲で、高低の調節が出来る範囲が大きい。
【００５３】
また、アンカーボルト施工現場において、溶接を行う必要がないばかりかコンクリート打設時のアンカーボルトのねじれや、位置ずれ等が少ないので、作業は簡易で高度の熟練を要する事が少ない。
【００５４】
また、山形鋼で構成され、略立方体というような山形鋼どうしを互いに支え合うような丈夫な構造で、しかも、アンカーボルト固定用山形鋼の位置や数を変えることにより、様々の柱脚のベースの形に対応できる。
【図面の簡単な説明】
【図１】    本発明の一実施の形態を示す概略斜視図である。
【図２】    図１の実施形態の一使用形態を示す概略斜視図である。
【図３】    図２の実施形態の一使用形態の一部拡大斜視図である。
【図４】    図１の他の実施の形態を示す概略斜視図である。
【図５】    図４の実施形態の一使用形態を示す概略斜視図である。
【図６】    図５の実施形態の一使用形態の一部拡大斜視図である。
【図７】    図１の他の実施の一使用形態の一部拡大分解斜視図である。
【図８】    図７の実施形態の一使用形態の一部拡大斜視図である。
【図９】    図７の実施形態の一使用形態を示す概略斜視図である。
【図１０】  本発明の柱脚固定アンカーボルト支持用架台の架台ベース１０の架台水平調整横長孔３０と、山形鋼支柱１９の架台垂直調整横長孔２９をボルトとナット１１で接続する際のボルトとナット１１の挿
入軌道の一例を示す概略斜視図である。
【図１１】  一従来品の実施の形態を示す概略正面図である。
【図１２】  一従来品の実施の形態を示す概略斜視図である。
【図１３】  一従来施工方法を示す概略斜視図である。
【図１４】  図４の他の使用の形態を示す概略斜視図である。
【符号の簡単な説明】
１・１Ａ．１ＡＡ．  柱脚固定アンカーボルト支持用架台
２．                アンカーボルト支持用横長孔
３．                アンカーボルト固定用山形鋼
４・４Ａ．          柱脚固定アンカーボルト支持架台の一従来品
５．                Ｊ型アンカーボルト
６．                Ｌ字ボルト
７．                捨てコンクリート
８．                架台ベース固定用アンカーボルト
９．９Ａ．          型板テンプレート
１０．              架台ベース
１１．              ナット
１２．              針金調整ボルト
１３．              両螺子アンカーボルト
１４．              螺子
１５．              座金
１６．              針金
１７．              中央支柱
１８．              腕
１９．              山形鋼支柱
２０．              架台ベース固定用アンカーボルト用孔
２１．              架台上枠
２２．              架台下枠
２３．              ポイントマーク
２４．              アンカーボルト支持板
２５．              アンカーボルト支持用鉄筋枠
２６．              鉄筋
２７．              架台固定用アンカーボルト
２８．              定着板
２９．              架台垂直調整縦長孔
３０．              架台水平調整横長孔
３１．              略三角プレート
３２．              長孔
３３．              フレーム
３４．              角座金
【図１】
0004366546.tif 000002
【図２】
0004366546.tif 000003
【図３】
0004366546.tif 000004
【図４】
0004366546.tif 000005
【図５】
0004366546.tif 000006
【図６】
0004366546.tif 000007
【図７】
0004366546.tif 000008
【図８】
0004366546.tif 000009
【図９】
0004366546.tif 000010
【図１０】
0004366546.tif 000011
【図１１】
0004366546.tif 000012
【図１２】
0004366546.tif 000013
【図１３】
0004366546.tif 000014
【図１４】
0004366546.tif 000015